(57)【要約】【課題】着用者にとって履き心地の良いサニタリーショーツ等のパンツを提供するすること。【解決手段】パンツ１００が、前身頃部２１０と後身頃部２２０と、前身頃部２１０の前下端部２１２と後身頃部２２０の後下端部２２２に接続される股部２３０と、前身頃部２１０の前上端部２１３と後身頃部２２０の後上端部２２３に接続され、着用者のウエスト部分を保持する伸縮部２４０と、を有する本体部材２００と、伸縮部２４０に接続される第１端部３１０と第２端部３２０とを有し、本体部材２００の股部２３０より着用者側に配置され、着用者の股部分に配置される取付部材３００と、を含み、取付部材３００の第１端部３１０が前身頃部側の伸縮部２４０に接続され、取付部材３００の第２端部３２０が後身頃部側の伸縮部２４０に接続され、前身頃部側から後身頃部側に延伸して、着用者の股部分に配置されるパンツ１００を提供する。【選択図】図１
2017144291.tif 000002
【特許請求の範囲】
【請求項１】
着用者の股部分を覆うパンツであって、
前記パンツが、
前身頃部と後身頃部と、
前記前身頃部の前下端部と前記後身頃部の後下端部に接続される股部と、
前記前身頃部の前上端部と前記後身頃部の後上端部に接続され、着用者のウエスト部分を保持する伸縮部と、を有する本体部材と、
前記伸縮部に接続される第１端部と第２端部とを有し、前記本体部材の前記股部より着用者側に配置され、着用者の股部分に配置される取付部材と、を含み、
前記取付部材の前記第１端部が前記前身頃部側の前記伸縮部に接続され、前記取付部材の前記第２端部が前記後身頃部側の前記伸縮部に接続され、前記前身頃部側から前記後身頃部側に延伸して、着用者の股部分に配置されるパンツ。
【請求項２】
前記取付部材が発熱具を保持することが可能な保持部を有する請求項１記載のパンツ。
【請求項３】
前記取付部材にパッドが取り付けられる請求項１又は２記載のパンツ。
【請求項４】
前記取付部材が前記第１端部と前記第２端部との間で伸縮可能なものである請求項１、２又は３記載のパンツ。
【請求項５】
請求項１乃至４記載のパンツがサニタリーショーツであるパンツ。
【発明の詳細な説明】
【技術分野】
【０００１】
本発明は、主に女性が生理期間中に着用可能なサニタリーショーツ、生理期間中以外にも着用可能なショーツ及びパンツに関する。
【背景技術】
【０００２】
生理用ショーツは、通常、吸収パッドに予め貼着されている粘着テープを、股部内面に 直接、又は、股部内面に取り付けられている防水布等に粘着させて股部に固定的に装着している。
【０００３】
そして、吸収パッドで経血等を吸収し、吸収パッドから経血が漏れた場合でも防水布により外部に漏れないようにしている 。 
【０００４】
しかし、上述したようにパッドを、粘着テープを介して股部に固定しているだけである場合、衣類の股部が身体の股部よりズレると、パッドも身体の股部からズレてしまい、パッドと身体の股部との間に隙間ができ、この隙間から経血が漏れてしまう。
【０００５】
また、就寝時の寝返りや運動時には身体の動きと衣類の股部とが離れた状態 となりやすいため、パッドも身体の股部からズレて隙間が生じやすい。
【０００６】
また、身体の股部は比較的平面的であるが、臀部側の左右膨出部に挟まれた臀裂はＶ形状の立体形状であるため、パッドは臀裂から浮いた状態となって隙間が発生しやすい。
【０００７】
特許文献１に記載の発明は、従来型生理用ショーツの外側に、後身頃が略Ｔ字状、且つ前身頃が逆三角形状となされたショーツ （Ｔバックショーツ）をサポーターとして重ね、両者を両脇部のみで縫合するというものである。
【０００８】
つまり、生理用ショーツを二枚重ねとすることで、出血部及び臀部谷部とナプキンを密着させ、就寝時でも出血の瞬間に経血を吸収し、漏出を防ぐというものである。
【先行技術文献】
【特許文献】
【０００９】
【特許文献１】特開２００５−２７０３４８号公報
【発明の概要】
【発明が解決しようとする課題】
【００１０】
しかしながら、特許文献１に係る発明は、生理用ショーツ（サニタリーショーツ）の上からＴバック状のショーツを重ねて装着するため、見栄えが悪いという問題がある。
【００１１】
また、生理用ショーツの上からＴバック状のショーツを重ねて装着するため、パッドの身体への押し付けの効果が低いという問題がある。
【００１２】
一方、従来のサニタリーショーツは、サニタリーショーツの着用者に対する着用位置がずれないように、サニタリーショーツのウエスト部やそけい部には、締め付けの強いゴムが入っていることが多かった。
【００１３】
そのため、着用者は、生理時にはリラックスして生活したいにも関わらず、そのようなサニタリーショーツを着用することにより、リラックスして生活することができなかった。
【００１４】
本発明の主な目的は、着用者にとって履き心地の良いサニタリーショーツ等のパンツを提供することである。
【００１５】
本発明の他の目的は、着用者の股部分を温めることが可能なサニタリーショーツ等のパンツを提供することである。
【００１６】
本発明の他の目的は、下着を着用しなくても着用可能なパンツを提供することである。
【課題を解決するための手段】
【００１７】
本発明に係るパンツは、着用者の股部分を覆うパンツであって、
前記パンツが、
前身頃部と後身頃部と、
前記前身頃部の前下端部と前記後身頃部の後下端部に接続される股部と、
前記前身頃部の前上端部と前記後身頃部の後上端部に接続され、着用者のウエスト部分を保持する伸縮部と、を有する本体部材と、
前記伸縮部に接続される第１端部と第２端部とを有し、前記本体部材の前記股部より着用者側に配置され、着用者の股部分に配置される取付部材と、を含み、
前記取付部材の前記第１端部が前記前身頃部側の前記伸縮部に接続され、前記取付部材の前記第２端部が前記後身頃部側の前記伸縮部に接続され、前記前身頃部側から前記後身頃部側に延伸して、着用者の股部分に配置されるものである。
【００１８】
このようなものであれば、取付部材に吸収パッド等を取付けることにより、本体部材の身体への締め付け感を和らげた場合であっても、経血や尿等を吸収パッドがしっかり吸収するため、経血や尿等により衣類の汚れを防止することができる。
【００１９】
つまり、本発明に係るサニタリーショーツ等のパンツの着用者は、生理期間中であってもサニタリーショーツによる締め付け感が抑えられ、リラックスして生活することができる。
【００２０】
また、本発明に係るパンツは、締め付け感を抑えることができるため、生理期間中以外のときであっても使用しやすい。
【００２１】
また、本発明に係るスパッツ等のパンツの着用者は、別途ショーツ等の下着を履かなくてもよいため、下着のライン等を気にしないで、例えばヨガやランニング、ウォーキング等を行うことができる。
【００２２】
なお、本発明に係るパンツは、サニタリーショーツだけでなく、生理期間中以外でも使用するショーツも含まれ、また、スパッツやズボン等のパンツも含まれる概念である。
【００２３】
本発明に係るパンツは、前記取付部材が発熱具を保持することが可能な保持部を有するものであってもよい。
【００２４】
発熱具とはカイロ等の発熱するもののことである。このようなものであれば、本発明に係るパンツの着用者は、股部分が温められる。
【００２５】
生理痛の原因の一つが、子宮の冷えが原因であることがあるため、本発明に係るパンツは、股部分が温められることにより着用者の生理痛を軽減させることができる。
【００２６】
つまり、本発明に係るパンツは、着用者の子宮を下側から温めることにより、生理痛や生理不順を改善する。
【００２７】
また、本発明に係るパンツは、股部分をカイロ等の発熱具で温めることにより、着用者の子宮機能が改善され、ホルモンバランスの乱れを改善する。
【００２８】
また、本発明に係るパンツは、身体の股部分をカイロ等の発熱具で温めるため、着用者の腸を温めることができ、便秘を改善することができる。また、これにより、肌荒れ等が改善される。
【００２９】
また、本発明に係るパンツは、股部分をカイロ等の発熱具で温めるため、血行が良くなり、冷え症対策、自律神経失調症対策、不眠症対策、うつ対策に効果がある。
【００３０】
前記取付部材にパッドが取り付けられるものが好ましい。このようなものであれば、経血漏れ、おりもの、尿漏れ等による衣類の汚れが防止される。
【００３１】
パッドは、防水性を有する布が内部に備えられるものが好ましい。このようなものであれば、経血、おりもの又は尿による浸透が防止される。
【００３２】
パッドは、経血、おりもの又は尿等の水分を吸収する吸収パッドであってもよいが、パッドに吸収パッドを取付けるものであってもよい。
【００３３】
このようなものであれば、着用者は、吸収パッドを交換するだけでよく、パッドはそのまま使用することができる。
【００３４】
吸収パッドは、取付部材に取り付けられるパッドと着用者の股部分との間に挟むものであってもよい。このようなものであれば、着用者は、容易に吸収パッドを交換することができる。
【００３５】
本発明に係るパンツは、前記取付部材が前記第１端部と前記第２端部との間で伸縮可能なものが好ましい。
【００３６】
このようなものであれば、取付部材に取り付けられた吸収パッド等のパッドが股部分に押し付けられ、パッドからの経血等の漏れが生じ難い。
【００３７】
本発明に係るパンツは上述したようにサニタリーショーツであってもよい。このようなものであれば、本体部材の身体への締め付け感を和らげた場合であっても、取付部材に取り付けられたパッドにより、経血等による衣類の汚れを防止することができる。
【００３８】
つまり、本発明に係るサニタリーショーツ等のパンツの着用者は、生理期間中であってもサニタリーショーツによる締め付け感が抑えられ、リラックスして生活することができる。
【発明の効果】
【００３９】
本発明であれば、着用者にとって履き心地の良いサニタリーショーツ等のパンツを提供することができる。
【００４０】
また、本発明であれば、着用者の股部分を温めることが可能なサニタリーショーツ等のパンツを提供することができる。
【００４１】
また、本発明であれば、下着を着用しなくても着用可能なパンツを提供することができる。
【図面の簡単な説明】
【００４２】
【図１】本発明に係る一実施形態におけるサニタリーショーツの正面図。
【図２】同実施形態におけるサニタリーショーツの側面視断面図。
【図３】同実施形態におけるサニタリーショーツの正面図。
【図４】同実施形態におけるサニタリーショーツの取付部材の部分斜視図。
【図５】同実施形態におけるサニタリーショーツの取付部材の部分斜視図。
【図６】同実施形態におけるサニタリーショーツの取付部材の部分斜視図。
【図７】同実施形態におけるサニタリーショーツの正面図。
【発明を実施するための形態】
【００４３】
以下、本発明に係るパンツの一例として、サニタリーショーツ１００の実施形態に関して図面を参照しながら説明する。なお、本発明は、サニタリーショーツ１００に限定されず、様々なパンツに使用可能である。
【００４４】
（サニタリーショーツ１００）
図１、図２及び図３に示すように、サニタリーショーツ１００は、本体部材２００と、パッド５００を取り付ける取付部材３００と、を含む。本実施形態では、サニタリーショーツ１００はオーガニックコットンを使用している。
【００４５】
（本体部材２００）
図１、図２及び図３に示すように、本体部材２００は、サニタリーショーツ１００の着用者の前側（ｙ軸負方向側）に配置される前身頃部２１０と、
前記着用者の後ろ側（ｙ軸正方向側）に配置される後身頃部２２０と、
前身頃部２１０と後身頃部２２０とを下方（ｚ軸負方向側）で接続する股部２３０と、
前身頃部２１０と後身頃部２２０と上方（ｚ軸正方向側）で接続される伸縮部２４０と、を含む。
【００４６】
前身頃部２１０は、後身頃部２２０と接続される前側端部２１１Ｒ、２１１Ｌと、
股部２３０と接続される前下端部２１２と、
伸縮部２４０と接続される前上端部２１３と、
前側端部２１１Ｒ、２１１Ｌと、前下端部２１２との間に配置される前斜め端部２１４Ｒ、２１４Ｌと、を含む。
【００４７】
後身頃部２２０は、前身頃部２１０と接続される後側端部２２１Ｒ、２２１Ｌと、
股部２３０と接続される後下端部２２２と、
伸縮部２４０と接続される後上端部２２３と、
後側端部２２１Ｒ、２２１Ｌと、後下端部２２２との間に配置される後斜め端部２２４Ｒ、２２４Ｌと、を含む。
【００４８】
前側端部２１１Ｒ、２１１Ｌは、それぞれ後側端部２２１Ｒ、２２１Ｌと接続、つまり本実施形態では縫着されている。
【００４９】
股部２３０は、着用者の股の部分に配置される部分であり、前身頃部２１０の前下端部２１２と、後身頃部２２０の後下端部２２２とに接続される。本実施形態では、股部２３０は、前下端部２１２と後下端部２２２とに縫着されている。
【００５０】
股部２３０は、前端部２３１と、後端部２３２と、横端部２３３Ｒ、２３３Ｌと、を含む。
【００５１】
股部２３０の前端部２３１と、前身頃部２１０の前下端部２１２とが縫着されている。そして、股部２３０の後端部２３２と、後身頃部２２０の後下端部２２２とが縫着されている。
【００５２】
伸縮部２４０は、着用者のウエスト部分でサニタリーショーツ１００を保持させるためのところである。本実施形態では、伸縮部２４０は、伸縮性を有する生地が使用されているが、ゴム等の弾性体を有するものであってもよい。
【００５３】
また、伸縮部２４０は、紐等により着用者のウエスト部分にサニタリーショーツ１００を保持させるものであってもよい。
【００５４】
伸縮部２４０は、変形可能なｘｙ平面視略リング状の形状で着用者のウエスト部を保持するための開口部４００である第１開口部４１０を有する。そして、伸縮部２４０は、ｘｙ平面において伸縮可能である。この伸縮性により着用者のウエスト部にサニタリーショーツを保持する。
【００５５】
伸縮部２４０は、前身頃部２１０の前上端部２１３と、後身頃部２２０の後上端部２２３と接続されている。本実施形態では、伸縮部２４０は、前上端部２１３と後上端部２２３とに縫着されている。
【００５６】
前身頃部２１０の前斜め部２１４Ｒと、股部２３０の横端部２３３Ｒと、後身頃部２２０の後斜め部２２４Ｒとで、着用者の右足が挿入される開口部４００である第２開口部４２０が形成される。
【００５７】
前身頃部２１０の前斜め部２１４Ｌと、股部２３０の横端部２３３Ｌと、後身頃部２２０の後斜め部２２４Ｌとで、着用者の左足が挿入される開口部４００である第３開口部４３０が形成される。
【００５８】
本実施形態では、第２開口部４２０及び第３開口部４３０には、ゴム等の弾性体が使用されておらず、サニタリーショーツ１００の着用者は、サニタリーショーツ１００による締め付け感が軽減され、リラックスすることができる。
【００５９】
なお、本実施形態では、第２開口部４２０及び第３開口部４３０にはゴム等の弾性体は使用されていないが、ボクサーパンツタイプのように、着用者の足部分（太腿部分）を締め付けるような構成であってもよい。
【００６０】
（取付部材３００）
図１乃至図４に示すように、取付部材３００は、本体部材２００の前側（ｙ軸負方向側）に接続される第１端部３１０と、本体部材２００の後側（ｙ軸正方向側）に接続される第２端部３２０と、パッド５００を取り付ける中央部３３０と、を含む。
【００６１】
第１端部３１０は、本体部材２００の前身頃部２１０の前上端部２１３と、伸縮部２４０とが縫着される部分に接続される。第１端部３１０は、本体部材２００の内側（着用者側）に接続される。
【００６２】
本実施形態では、第１端部３１０は、前身頃部２１０と伸縮部２４０が縫着される部分の内側（着用者側）に縫着される。
【００６３】
第２端部３２０は、本体部材２００の後身頃部２２０の後上端部２２３と、伸縮部２４０とが縫着される部分に接続される。第２端部３２０は、本体部材２００の内側（着用者側）に接続される。
【００６４】
本実施形態では、第２端部３２０は、後身頃部２２０と伸縮部２４０が縫着される部分の内側（着用者側）に縫着される。
【００６５】
図５に示すように、中央部３３０は、着用者の経血等の漏れを防止することが可能なパッド５００を取り付けることができる。本実施形態では、中央部３３０は、第１端部３１０及び第２端部３２０より、ｘ軸方向に幅広い構成となっている。
【００６６】
図３及び図４に示すように、中央部３３０は、保持部３３１を有する。本実施形態では、保持部３３１は、袋状である。保持部３３１には、例えばカイロ等の発熱具Ｈを入れることができる。
【００６７】
具体的には、保持部３３１は、カイロ等の発熱具Ｈを挿入することができる挿入口３３１ａを有する。挿入口３３１ａにカイロ等の発熱具Ｈを挿入することにより、保持部３３１がカイロ等の発熱具Ｈを保持する。
【００６８】
そして、保持部３３１は、着用者の股部分に位置するように配置されている。つまり、カイロ等の発熱具Ｈが保持部３３１に保持されることにより、着用者の股部分に配置される。
【００６９】
カイロ等の発熱具Ｈによって、サニタリーショーツ１００の着用者は、身体の股部分を温めることができる。
【００７０】
これにより、カイロ等の発熱具Ｈを取付部材３００の保持部３３１に保持したサニタリーショーツ１００を着用した着用者は、生理痛を軽減することができる。
【００７１】
これは、生理痛の原因の一つが、子宮の冷えが原因であることがあるためである。つまり、サニタリーショーツ１００は、子宮を下側から温められることができ、生理痛や生理不順を改善する効果を有する。
【００７２】
また、サニタリーショーツ１００は、身体の股部分をカイロ等の発熱具Ｈで温めるため、子宮機能を改善し、ホルモンバランスの乱れを改善することができる。
【００７３】
また、サニタリーショーツ１００は、身体の股部分をカイロ等の発熱具Ｈで温めるため、腸を温めることができ、便秘を改善することができる。また、これにより、肌荒れ等が改善される。
【００７４】
また、サニタリーショーツ１００は、身体の股部分をカイロ等の発熱具Ｈで温めるため、血行が良くなり、冷え症対策、自律神経失調症対策、不眠症対策、うつ対策に効果がある。
【００７５】
パッド５００は、経血、おりもの、尿等が衣類につくのを防止し、衣類が汚れるのを防止するためのものである。本実施形態では、パッド５００の内部には防水性を有する布が入れられており、着用者の経血等の漏れを防止する。
【００７６】
図５及び図６に示すように、本実施形態では、パッド５００には取付部５１０（第１取付部５１１、第２取付部５１２）が設けられている。そして取付部５１０によってパッド５００は、取付部材３００に取り付けられる。
【００７７】
具体的には、パッド５００には、ｘ軸負方向側に突出した第１取付部５１１と、ｘ軸正方向側に突出した第２取付部５１２を有する。
【００７８】
そして、パッド５００が取付部材３００のｚ軸正方向側に配置された状態で、パッド５００の第１取付部５１１と第２取付部５１２とが、取付部材３００のｚ軸負方向側で接続される。
【００７９】
本実施形態では、第１取付部５１１及び第２取付部５１２にスナップＳが取り付けられており、このスナップＳを接続することにより、第１取付部５１１と第２取付部５１２が接続される。
【００８０】
また、パッド５００の着用者の皮膚側（ｚ軸正方向側）には、吸収パッドＡが配置される。そして、吸収パッドＡが着用者の経血等の水分を吸収する。
【００８１】
吸収パッドＡは、取付部材３００が伸縮性を有することにより、着用者の股部分に密着しているため、経血等をしっかりと吸収し、経血等のパッド５００からの漏れを防止することができる。
【００８２】
本実施形態では、吸収パッドＡは、オーガニックコットンの布が用いられているが、紙等であってもよい。また、複数枚の吸収パッドＡはパッド５００に配置されてもよい。
【００８３】
パッド５００及び吸収パッドＡの形状は限定されずどのような形状であってもよい。
【００８４】
図７は、サニタリーショーツ１００にパッド５００を取付けた正面図である。このようなものであれば、経血等による衣類の汚れを防止し、かつ、サニタリーショーツ１００による着用者への締め付け感を抑えたものにすることができる。
【００８５】
したがって、サニタリーショーツ１００の着用者は、生理期間中であっても、リラックスして生活することができる。
【００８６】
また、このようなものであれば、カイロ等の発熱具によって、着用者の股部分を温めることができ、生理期間中以外のときであっても、着用者はサニタリーショーツ１００を着用することによって、体調管理を行うことができる。
【００８７】
また、このような構成は、通常のショーツやパンツにも使用することができる。例えば、ヨガ、ランニング、ウォーキング等のスパッツ等に本発明に係るパンツを使用すれば、着用者は、別途ショーツ等の下着を着用しなくてもよいため、下着のライン等を気にしなくてもよい。
【００８８】
本発明は、その趣旨を逸脱しない範囲で種々の改良、修正、又は変形を加えた態様でも実施できる。
【符号の説明】
【００８９】
１００…サニタリーショーツ
２００…本体部材
２１０…前身頃部
２２０…後身頃部
２３０…股部
２４０…伸縮部
３００…取付部材
３１０…第１端部
３２０…第２端部
３３０…中央部
３３１…保持部
４００…開口部
４１０…第１開口部
４２０…第２開口部
４３０…第３開口部
５００…パッド
【図１】
2017144291.tif 000003
【図２】
2017144291.tif 000004
【図３】
2017144291.tif 000005
【図４】
2017144291.tif 000006
【図５】
2017144291.tif 000007
【図６】
2017144291.tif 000008
【図７】
2017144291.tif 000009